【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
ノーマルストリーム及びターボストリームを多重化してデュアル伝送ストリームを生成する伝送ストリーム生成装置と、
前記デュアル伝送ストリーム内に付加基準信号を挿入し、前記ターボストリームに対する信号処理を行って前記デュアル伝送ストリームを再構成した後、該再構成されたデュアル伝送ストリームを出力する送信装置と、及び、
前記再構成されたデュアル伝送ストリームを受信し、前記ターボストリームを別にターボデコードしてから前記デュアル伝送ストリームに挿入し、前記ターボストリームが挿入されたデュアル伝送ストリームをデコーディング処理してノーマルストリームデータ及びターボストリームデータを復元する受信装置と
を含むことを特徴とするデジタル放送システム。
【請求項２】
前記伝送ストリーム生成装置は、
外部からターボストリームを受信し、該ターボストリームに対するリード・ソロモン・エンコーディングを行うリード・ソロモン・エンコーダーと、
前記リード・ソロモン・エンコードされたターボストリームに対してパリティ挿入領域を設けるデュプリケイターと、及び、
外部からノーマルストリームを受信し、前記デュプリケイターからターボストリームを受信し、前記ターボストリームと前記ノーマルストリームを多重化してデュアル伝送ストリームを生成するＭＵＸと、
を含むことを特徴とする請求項１に記載のデジタル放送システム。
【請求項３】
前記デュプリケイターは、
前記ターボストリームを構成する各バイトを１／２レート変換方式及び１／４レート変換方式の一つによって変換することにより、前記ターボストリーム内のデータビットの間に前記パリティ挿入領域を設けることを特徴とする請求項２に記載のデジタル放送システム。
【請求項４】
前記送信装置は、
前記伝送ストリーム生成装置から前記デュアル伝送ストリームを受信してランダム化するランダム化部と、
前記ランダム化されたデュアル伝送ストリーム内に設けられたスタッフィング領域に付加基準信号を挿入する付加基準信号挿入部と、
前記付加基準信号が挿入されたデュアル伝送ストリームをエンコードするリード・ソロモン・エンコーダーと、
前記エンコードされたデュアル伝送ストリームをインターリーブするインターリーバと、
前記インターリーブされたデュアル伝送ストリームからターボストリームを検出してエンコードし、エンコードされたターボストリームを前記デュアル伝送ストリームにスタッフィングし、前記エンコードされたターボストリームに対応するパリティを補償するターボ処理部と、及び、
前記ターボ処理部で処理されたデュアル伝送ストリームをトレリスエンコードするトレリス/パリティ訂正部と、
を含むことを特徴とする請求項１に記載のデジタル放送システム。
【請求項５】
前記ターボ処理部は、
前記インターリーブされたデュアル伝送ストリームから前記ターボストリームを検出するターボストリーム検出部と、
前記検出されたターボストリームに対するパリティを前記ターボストリーム内に設けられたパリティ挿入領域に挿入するアウターエンコーダーと、
前記パリティが挿入されたターボストリームをインターリーブするアウターインターリーバと、
前記インターリーブされたターボストリームを前記デュアル伝送ストリームに挿入して前記デュアル伝送ストリームを再構成するターボストリームスタッファと、及び、
前記再構成されたデュアル伝送ストリームのパリティを再生成して、前記デュアル伝送ストリームに付加するパリティ補償部と、
を含むことを特徴とする請求項４に記載のデジタル放送システム。
【請求項６】
前記ターボ処理部は、
前記インターリーブされたデュアル伝送ストリームをバイト単位からシンボル単位に変換するバイト―シンボル変換部と、及び、
前記パリティ補償部によって再生成されたパリティが付加されたデュアル伝送ストリームをシンボル単位からバイト単位に変換するシンボル―バイト変換部と、
をさらに含むことを特徴とする請求項５に記載のデジタル放送システム。
【請求項７】
前記送信装置は、
前記トレリスエンコードされたデュアル伝送ストリームに同期信号を付加するＭＵＸと、
前記同期信号が付加されたデュアル伝送ストリームにパイロットを挿入するパイロット挿入部と、
前記パイロットが挿入されたデュアル伝送ストリームを等化する事前等化部と、
前記等化されたデュアル伝送ストリームをＶＳＢ変調するＶＳＢ変調部と、及び
前記ＶＳＢ変調されたデュアル伝送ストリームをＲＦチャンネル帯域の信号に変調して送信するＲＦ変調部と、
をさらに含むことを特徴とする請求項４に記載のデジタル放送システム。
【請求項８】
前記トレリス/パリティ訂正部は、前記付加基準信号をエンコードする前に初期化を行い、該初期化によって変更される値に応じてパリティを補償することを特徴とする請求項４に記載のデジタル放送システム。
【請求項９】
前記トレリス/パリティ訂正部は、
初期化区間に対応する外部制御信号が受信されると前記初期化を行い、事前記憶された記憶値を初期値として出力するトレリスエンコーダーブロックと、
前記初期値に対応するパリティを生成するＲＳリエンコーダーと、
前記ＲＳリエンコーダーで生成されたパリティを前記デュアル伝送ストリームに加算して前記デュアル伝送ストリームのパリティを訂正する加算器と、
前記加算器で訂正されたパリティを有するデュアル伝送ストリームを前記トレリスエンコーダーブロックに提供するＭＵＸと、及び
前記トレリスエンコーダーブロックでトレリスエンコードされたデュアル伝送ストリームをシンボルマッピングして出力するマッパーと、
を含むことを特徴とする請求項８に記載のデジタル放送システム。
【請求項１０】
前記トレリスエンコーダーブロックは、
複数のトレリスエンコーダーと、
前記伝送ストリームを前記複数のトレリスエンコーダーに順次に入力するスプリッタ、及び
前記複数のトレリスエンコーダーでエンコードされた値を順次に検出するエンコード出力部と、
を含むことを特徴とする請求項９に記載のデジタル放送システム。
【請求項１１】
前記トレリスエンコーダーは、
外部制御信号が入力されると初期化されつつ、事前記憶された記憶値を第１の初期値として出力する第１のメモリーと、
第２のメモリー、及び
前記外部制御信号が入力されると初期化されつつ、事前記憶された記憶値を前記第２のメモリーにシフトして、前記第２のメモリーに事前記憶された記憶値を第２の初期値として出力させる第３のメモリーと、
を含み、
前記ＲＳリエンコーダーは、前記第１及び第２の初期値の組み合わせからなる初期値に対応するパリティを生成することを特徴とする請求項１０に記載のデジタル放送システム。
【請求項１２】
前記受信装置は、
ターボストリーム及びノーマルストリームを含むデュアル伝送ストリームを受信して復調する復調部と、
前記復調されたデュアル伝送ストリームを等化する等化部と、
前記等化されたデュアル伝送ストリームのうちのノーマルストリームをデコードするビタビデコーダーと、
前記等化されたデュアル伝送ストリームのうちのターボストリームをデコードするターボデコーダーと、
前記ターボデコーダーでデコードされたターボストリームを前記ビタビデコーダーから出力されるデュアル伝送ストリームに挿入するターボ挿入部と、
前記ターボ挿入部で処理されたデュアル伝送ストリームをデインターリーブするデインターリーバと、
前記デインターリーブされたデュアル伝送ストリームをリード・ソロモン・デコードするＲＳデコーダーと、
前記リード・ソロモン・デコードされたデュアル伝送ストリームを逆ランダム化する逆ランダム化部、及び
前記逆ランダム化されたデュアル伝送ストリームを逆多重化してノーマルストリームパケット及びターボストリームパケットを復元するターボＤＥＭＵＸと、
を含むことを特徴とする請求項１に記載のデジタル放送システム。
【請求項１３】
前記ターボデコーダーは、
前記等化されたデュアル伝送ストリームのターボストリームに対してトレリスデコードするトレリスデコーダーと、
前記トレリスデコードされたターボストリームをデインターリーブするアウターデインターリーバと、
前記デインターリーブされたターボストリームをデコードするアウターマップデコーダーと、
前記アウターマップデコーダーが軟判定出力値を出力すると、前記アウターマップデコーダーでデコードされたターボストリームをインターリーブして前記トレリスデコーダーに提供するアウターインターリーバ、及び
前記アウターマップデコーダーの硬判定出力値をフレームフォーマットするフレームフォーマッターと、
を含むことを特徴とする請求項１２に記載のデジタル放送システム。
【請求項１４】
前記ターボデコーダーは、前記フレームフォーマットされたターボストリームをシンボル単位からバイト単位に変換して前記ターボ挿入部に提供するシンボルデインターリーバをさらに含むことを特徴とする請求項１３に記載のデジタル放送システム。
【請求項１５】
前記ターボＤＥＭＵＸは、
前記デュアル伝送ストリームを逆多重化してノーマルストリーム及びターボストリームを出力するＴＳ  ＤＥＭＵＸと、
前記ＴＳ  ＤＥＭＵＸから出力されるノーマルストリームに同期信号を挿入して出力する第１の同期信号挿入部と、
前記ＴＳ  ＤＥＭＵＸから出力されるターボストリームから空き空間を除去するコンデンサーと、
前記空き空間が除去されたターボストリームをリード・ソロモン・デコードするＲＳデコーダー、及び
前記リード・ソロモン・デコードされたターボストリームに同期信号を挿入して出力する第２の同期信号挿入部と、
を含むことを特徴とする請求項１２に記載のデジタル放送システム。
【請求項１６】
前記ターボＤＥＭＵＸは、
前記デュアル伝送ストリームを逆多重化してノーマルストリーム及びターボストリームを出力するＴＳ  ＤＥＭＵＸと、
前記ＴＳ  ＤＥＭＵＸから出力されるノーマルストリームに同期信号を挿入して出力する同期信号挿入部と、
前記ＴＳ  ＤＥＭＵＸから出力されるターボストリームから空き空間を除去するコンデンサーと、
前記空き空間が除去されたターボストリームから同期信号を検出する同期信号検出部、及び
前記検出された同期信号から所定長さまでのターボストリームをリード・ソロモン・デコードして出力するＲＳデコーダーと、
を含むことを特徴とする請求項１２に記載のデジタル放送システム。
【請求項１７】
ノーマルストリーム及びターボストリームを多重化してデュアル伝送ストリームを生成する伝送ストリーム生成ステップと、
前記デュアル伝送ストリーム内に付加基準信号（Ｓｕｐｐｌｅｍｅｎｔａｌ  Ｒｅｆｅｒｅｎｃｅ  Ｓｉｎｇｎａｌ：ＳＲＳ）を挿入し、前記ターボストリームに対する信号処理を行って前記デュアル伝送ストリームを再構成した後、該再構成されたデュアル伝送ストリームを出力する送信ステップ、及び
前記再構成されたデュアル伝送ストリームを受信し、前記ターボストリームを別にターボデコードしてから前記デュアル伝送ストリームに挿入し、前記ターボストリームが挿入されたデュアル伝送ストリームをデコーディング処理してノーマルストリームデータ及びターボストリームデータを復元する受信ステップと
を含むことを特徴とするデジタル放送方法。
【請求項１８】
前記伝送ストリーム生成ステップは、
外部からターボストリームを受信し、リード・ソロモン・エンコードを行うステップと、
前記リード・ソロモン・エンコードされたターボストリームに対してパリティ挿入領域を設けるステップ、及び
外部からノーマルストリームを受信し、前記パリティ挿入領域が設けられたターボストリームと前記ノーマルストリームを多重化してデュアル伝送ストリームを生成するステップと、
を含むことを特徴とする請求項１７に記載のデジタル放送方法。
【請求項１９】
前記パリティ挿入領域を設けるステップは、
前記ターボストリームを構成する各バイトを１／２レート変換方式及び１／４レート変換方式の一つによって変換することにより、前記ターボストリーム内のデータビットの間に前記パリティ挿入領域を設けることを特徴とする請求項１８に記載のデジタル放送方法。
【請求項２０】
前記送信ステップは、
前記生成されたデュアル伝送ストリームをランダム化するステップと、
前記ランダム化されたデュアル伝送ストリーム内に設けられたスタッフィング領域に付加基準信号を挿入するステップと、
前記付加基準信号が挿入されたデュアル伝送ストリームをエンコードするステップと、
前記エンコードされたデュアル伝送ストリームをインターリーブするステップと、
前記インターリーブされたデュアル伝送ストリームからターボストリームを検出してエンコードし、該エンコードされたターボストリームを前記デュアル伝送ストリームにスタッフィングし、前記エンコードされたターボストリームに対応するパリティを補償するターボ処理ステップ、及び
前記ターボ処理されたデュアル伝送ストリームをトレリスエンコードするステップと、
を含むことを特徴とする請求項１７に記載のデジタル放送方法。
【請求項２１】
前記ターボ処理ステップは、
前記インターリーブされたデュアル伝送ストリームから前記ターボストリームを検出するステップと、
前記検出されたターボストリームに対するパリティを前記ターボストリーム内に設けられたパリティ挿入領域に挿入するステップと、
前記パリティが挿入されたターボストリームをインターリーブするステップと、
前記インターリーブされたターボストリームを前記デュアル伝送ストリームに挿入して前記デュアル伝送ストリームを再構成するステップ、及び
前記再構成されたデュアル伝送ストリームのパリティを再生成して、前記デュアル伝送ストリームに付加するパリティ補償ステップと、
を含むことを特徴とする請求項２０に記載のデジタル放送方法。
【請求項２２】
前記ターボ処理ステップは、
前記インターリーブされたデュアル伝送ストリームをバイト単位からシンボル単位に変換するバイト―シンボル変換ステップ、及び
前記再生成されたパリティが付加されたデュアル伝送ストリームをシンボル単位からバイト単位に変換するシンボル―バイト変換ステップと、
をさらに含むことを特徴とする請求項２１に記載のデジタル放送方法。
【請求項２３】
前記送信ステップは、
前記トレリスエンコードされたデュアル伝送ストリームに同期信号を付加するステップと、
前記同期信号が付加されたデュアル伝送ストリームにパイロットを挿入するステップと、
前記パイロットが挿入されたデュアル伝送ストリームを等化するステップと、
前記等化されたデュアル伝送ストリームをＶＳＢ変調するステップ、及び
前記ＶＳＢ変調されたデュアル伝送ストリームをＲＦチャンネル帯域の信号に変調して送信するステップと、
をさらに含むことを特徴とする請求項２０に記載のデジタル放送方法。
【請求項２４】
前記トレリスエンコードを行うステップは、
前記付加基準信号をエンコードする前に初期化を行い、該初期化によって変更される値に応じてパリティを補償することを特徴とする請求項２０に記載のデジタル放送方法。
【請求項２５】
前記受信ステップは、
（ａ）ターボストリームと、ノーマルストリームを含むデュアル伝送ストリームを受信して復調するステップと、
（ｂ）前記復調されたデュアル伝送ストリームを等化するステップと、
（ｃ）前記等化されたデュアル伝送ストリームのうちのノーマルストリームをデコードするビタビデコーディングステップと、
（ｄ）前記等化されたデュアル伝送ストリームのうちのターボストリームをデコードするターボデコーディングステップと、
（ｅ）前記ビタビデコードされたデュアル伝送ストリームに、前記ターボデコードされたターボストリームを挿入するステップと、
（ｆ）前記ターボデコードされたターボストリームが挿入されたデュアル伝送ストリームをデインターリーブするステップと、
（ｇ）前記デインターリーブされたデュアル伝送ストリームをリード・ソロモン・デコードするステップと、
（ｈ）前記リード・ソロモン・デコードされたデュアル伝送ストリームを逆ランダム化するステップ、及び
（ｉ）前記逆ランダム化されたデュアル伝送ストリームを逆多重化してノーマルストリームパケット及びターボストリームパケットを復元するステップと、
をさらに含むことを特徴とする請求項１７に記載のデジタル放送方法。
【請求項２６】
前記（ｄ）ステップは、
（ｄ１）前記等化されたデュアル伝送ストリームのターボストリームをトレリスデコードするステップと、
（ｄ２）前記トレリスデコードされたターボストリームをデインターリーブするステップと、
（ｄ３）前記デインターリーブされたターボストリームをデコードするステップ、及び
（ｄ４）前記デコーディング過程で硬判定出力値が出力されると、該硬判定出力値をフレームフォーマットするステップと、を含み、
前記（ｄ１）ないし（ｄ３）ステップは、前記デコーディング過程で硬判定出力値が出力されるまでに繰り返し行われることを特徴とする請求項２５に記載のデジタル放送方法。
【請求項２７】
前記（ｄ）ステップは、
（ｄ５）前記フレームフォーマットされたターボストリームをシンボル単位からバイト単位に変換するステップ
をさらに含むことを特徴とする請求項２６に記載のデジタル放送方法。
【請求項２８】
前記（ｉ）ステップは、
前記デュアル伝送ストリームを逆多重化してノーマルストリーム及びターボストリームを分離させるステップと、
前記分離されたノーマルストリームに同期信号を挿入して出力するステップと、
前記分離されたターボストリームから空き空間を除去し、リード・ソロモン・デコードするステップ、及び
前記リード・ソロモン・デコードされたターボストリームに同期信号を挿入して出力するステップと、
を含むことを特徴とする請求項２５に記載のデジタル放送方法。
【請求項２９】
前記（ｉ）ステップは、
前記デュアル伝送ストリームを逆多重化してノーマルストリーム及びターボストリームを分離させるステップと、
前記分離されたノーマルストリームに同期信号を挿入して出力するステップと、
前記分離されたターボストリームから空き空間を除去し、リード・ソロモン・デコードするステップ、及び
前記空き空間が除去されたターボストリームから同期信号を検出し、前記検出された同期信号から所定長さまでのターボストリームをリード・ソロモン・デコードして出力するステップと、
を含むことを特徴とする請求項２５に記載のデジタル放送方法。
【請求項３０】
前記伝送ストリーム生成装置は、
前記リード・ソロモン・エンコードされたターボストリームをインターリーブし、前記パリティ挿入領域を設ける、デュプリケイターの前に位置するインターリーバをさらに含むことを特徴とする請求項２に記載のデジタル放送システム。
【請求項３１】
前記パリティ挿入領域を含むターボストリームをインターリーブし、前記インターリーブされたターボストリームを前記ＭＵＸに送信する、デュプリケイターの後に位置するインターリーバ
をさらに含むことを特徴とする請求項２に記載のデジタル放送システム。
【請求項３２】
前記ターボストリームは、
同期信号領域、ＰＩＤ（Ｐａｃｋｅｔ  ＩＤｅｎｔｉｔｙ）領域、及びターボデータ領域を含むことを特徴とする請求項２に記載のデジタル放送システム。
【請求項３３】
前記伝送ストリーム生成装置がインターリーバを含む場合、ターボＤＥＭＵＸはターボストリームをデインターリーブするデインターリーバ
を含むことを特徴とする請求項１２に記載のデジタル放送システム。
【請求項３４】
ノーマルストリーム及びターボストリームを復元するために、デュアル伝送ストリームを受信し、前記デュアル伝送ストリームからターボストリームを分離してターボデコードし、前記デコードされたターボストリームを前記デュアル伝送ストリームに挿入し、前記ターボデコードされたターボストリームが挿入されたデュアル伝送ストリームをデコードする、デジタル放送受信装置。
【請求項３５】
前記受信装置は、
ターボストリーム及びノーマルストリームを含むデュアル伝送ストリームを受信して復調する復調部と、
前記復調されたデュアル伝送ストリームを等化する等化部と、
前記等化されたデュアル伝送ストリームのうちのノーマルストリームをデコードするビタビデコーダーと、
前記等化されたデュアル伝送ストリームのうちのターボストリームをデコードするターボデコーダーと、
前記ターボデコーダーでデコードされたターボストリームを前記ビタビデコーダーから出力されるデュアル伝送ストリームに挿入するターボ挿入部と、
前記ターボ挿入部で処理されたデュアル伝送ストリームをデインターリーブするデインターリーバと、
前記デインターリーブされたデュアル伝送ストリームをリード・ソロモン・デコードするＲＳデコーダーと、
前記リード・ソロモン・デコードされたデュアル伝送ストリームを逆ランダム化する逆ランダム化部、及び
前記逆ランダム化されたデュアル伝送ストリームを逆多重化してノーマルストリームパケット及びターボストリームパケットを復元するターボＤＥＭＵＸと、
を含むことを特徴とする請求項３４に記載のデジタル放送受信装置。
【請求項３６】
前記ターボデコーダーは、
前記等化されたデュアル伝送ストリームのターボストリームをトレリスデコードするトレリスデコーダーと、
前記トレリスデコードされたターボストリームをデインターリーブするアウターデインターリーバと、
前記デインターリーブされたターボストリームをデコードするアウターマップデコーダーと、
前記アウターマップデコーダーが軟判定出力値を出力すると、前記アウターマップデコーダーでデコードされたターボストリームをインターリーブして前記トレリスデコーダーに提供するアウターインターリーバ、及び
前記アウターマップデコーダーの硬判定出力値をフレームフォーマットするフレームフォーマッターと、
を含むことを特徴とする請求項３５に記載のデジタル放送受信装置。
【請求項３７】
前記ターボデコーダーは、前記フレームフォーマットされたターボストリームをシンボル単位からバイト単位に変換して前記ターボ挿入部に提供するシンボルデインターリーバ
をさらに含むことを特徴とする請求項３６に記載のデジタル放送受信装置。
【請求項３８】
前記ターボＤＥＭＵＸは、
前記デュアル伝送ストリームを逆多重化してノーマルストリーム及びターボストリームを出力するＴＳ  ＤＥＭＵＸと、
前記ＴＳ  ＤＥＭＵＸから出力されるノーマルストリームに同期信号を挿入して出力する第１の同期信号挿入部と、
前記ＴＳ  ＤＥＭＵＸから出力されるターボストリームから空き空間を除去するコンデンサーと、
前記空き空間が除去されたターボストリームをリード・ソロモン・デコードするＲＳデコーダー、及び
前記リード・ソロモン・デコードされたターボストリームに同期信号を挿入して出力する第２の同期信号挿入部と、
を含むことを特徴とする請求項３５に記載のデジタル放送受信装置。
【請求項３９】
前記ターボＤＥＭＵＸは、
前記デュアル伝送ストリームを逆多重化してノーマルストリーム及びターボストリームを出力するＴＳ  ＤＥＭＵＸと、
前記ＴＳ  ＤＥＭＵＸから出力されるノーマルストリームに同期信号を挿入して出力する同期信号挿入部と、
前記ＴＳ  ＤＥＭＵＸから出力されるターボストリームから空き空間を除去するコンデンサーと、
前記空き空間が除去されたターボストリームから同期信号を検出する同期信号検出部、及び
前記検出された同期信号から所定長さまでのターボストリームをリード・ソロモン・デコードして出力するＲＳデコーダーと、
を含むことを特徴とする請求項３５に記載のデジタル放送受信装置。
【請求項４０】
デジタル放送受信方法であって、
ノーマルストリーム及びターボストリームを復元するために、デュアル伝送ストリームを受信するステップと、
前記デュアル伝送ストリームからターボストリームを分離してターボデコードするステップと、
前記デコードされたターボストリームを前記デュアル伝送ストリームに挿入するステップ、及び
前記ターボデコードされたターボストリームが挿入されたデュアル伝送ストリームをデコードするステップと、
を含むデジタル放送受信方法。
【請求項４１】
（ａ）ターボストリームと、ノーマルストリームを含むデュアル伝送ストリームを受信して復調するステップと、
（ｂ）前記復調されたデュアル伝送ストリームを等化するステップと、
（ｃ）前記等化されたデュアル伝送ストリームのうちのノーマルストリームをデコードするビタビデコーディングステップと、
（ｄ）前記等化されたデュアル伝送ストリームのうちのターボストリームをデコードするターボデコーディングステップと、
（ｅ）前記ビタビデコードされたデュアル伝送ストリームに、前記ターボデコードされたターボストリームを挿入するステップと、
（ｆ）前記ターボデコードされたターボストリームが挿入されたデュアル伝送ストリームをデインターリーブするステップと、
（ｇ）前記デインターリーブされたデュアル伝送ストリームをリード・ソロモン・デコードするステップと、
（ｈ）前記リード・ソロモン・デコードされたデュアル伝送ストリームを逆ランダム化するステップ、及び
（ｉ）前記逆ランダム化されたデュアル伝送ストリームを逆多重化してノーマルストリームパケット及びターボストリームパケットを復元するステップと、
を含むことを特徴とする請求項４０に記載のデジタル放送受信方法。
【請求項４２】
前記（ｄ）ステップは、
（ｄ１）前記等化されたデュアル伝送ストリームのターボストリームをトレリスデコードするステップと、
（ｄ２）前記トレリスデコードされたターボストリームをデインターリーブするステップと、
（ｄ３）前記デインターリーブされたターボストリームをデコードするステップ、及び
（ｄ４）前記デコーディング過程で硬判定出力値を出力すると、該硬判定出力値をフレームフォーマットするステップと、を含み、
前記（ｄ１）ないし（ｄ３）ステップは、前記デコーディング過程で硬判定出力値が出力されるまでに繰り返し行われることを特徴とする請求項４１に記載のデジタル放送受信方法。
【請求項４３】
前記（ｄ）ステップは、（ｄ５）前記フレームフォーマットされたターボストリームをシンボル単位からバイト単位に変換するステップをさらに含むことを特徴とする請求項４２に記載のデジタル放送受信方法。
【請求項４４】
前記（ｉ）ステップは、
前記デュアル伝送ストリームを逆多重化してノーマルストリーム及びターボストリームを分離させるステップと、
前記分離されたノーマルストリームに同期信号を挿入して出力するステップと、
前記分離されたターボストリームから空き空間を除去し、リード・ソロモン・デコードするステップ、及び
前記リード・ソロモン・デコードされたターボストリームに同期信号を挿入して出力するステップと、
を含むことを特徴とする請求項４１に記載のデジタル放送受信方法。
【請求項４５】
前記（ｉ）ステップは、
前記デュアル伝送ストリームを逆多重化してノーマルストリーム及びターボストリームを分離させるステップと、
前記分離されたノーマルストリームに同期信号を挿入して出力するステップと、
前記分離されたターボストリームから空き空間を除去し、リード・ソロモン・デコードするステップ、及び
前記空き空間が除去されたターボストリームから同期信号を検出し、前記検出された同期信号から所定長さまでのターボストリームをリード・ソロモン・デコードして出力するステップと、
を含むことを特徴とする請求項４１に記載のデジタル放送受信方法。
【請求項４６】
デジタル放送送信機で伝送するストリームをエラーに強健に処理するストリーム処理装置において、
バイト単位のストリームを入力され変換する第１変換部と、
前記第１変換部で変換されたストリームをエンコードしてシンボル単位のストリームを出力するアウターエンコーダーと、
前記アウターエンコーダーから出力されるストリームをインターリーブするアウターインターリーバと、
前記インターリーブされたシンボル単位のストリームをバイト単位に変換する第２変換部と、
を含むことを特徴とするストリーム処理装置。
【請求項４７】
前記ストリームをノーマルストリームに多重化して伝送ストリームを構成するスタッファ
を更に含むことを特徴とする請求項４６に記載のストリーム処理装置。
【請求項４８】
デジタル放送送信機で伝送するストリームをエラーに強健に処理するストリーム処理方法において、
バイト単位のストリームを入力され変換する第１変換ステップと、
前記変換されたストリームをエンコードしてシンボル単位のストリームを出力するアウターエンコードステップと、
前記エンコードされたストリームをインターリーブするアウターインターリーブステップと、
前記インターリーブされたシンボル単位のストリームをバイト単位に変換する第２変換ステップと、
を含むことを特徴とするストリーム処理方法。
【請求項４９】
前記ストリームをノーマルストリームに多重化して伝送ストリームを構成するステップ
を更に含むことを特徴とする請求項４８に記載のストリーム処理方法。